(57)【要約】【課題】複数の表示装置にて表示された画像に対してそれぞれ付加された付加情報をまとめて管理する。【解決手段】スレーブ表示装置は、自装置の表示画像に対して付加情報を付加する操作が行われると、その表示画像に付加情報を重ねて表示させた後、付加情報と表示画像のページ数とをマスタ表示装置に送信する。マスタ表示装置は、自装置の表示画像に対して付加情報を付加する操作が行われると、その表示画像に付加情報を重ねて表示させた後、スレーブ表示装置から送信されてきた付加情報とページ数を含む画像データとを対応付けて記憶し、さらに自装置にて表示されている画像に対して付加された付加情報と、その付加情報が付加された画像のページ数を含む画像データとを対応付けて記憶する。【選択図】図１
2009251287.tif 000002
【特許請求の範囲】
【請求項１】
１又は複数の第１の表示装置と、第２の表示装置とを備え、
前記第１の表示装置及び前記第２の表示装置は、
操作者の操作を受け付ける操作手段と、
画像を表示する表示手段とを備え、
前記第１の表示装置は、
自装置の前記表示手段に表示されている画像に対して付加情報を付加する操作が自装置の前記操作手段によって受け付けられると、表示されている前記画像に当該付加情報を重ねて当該表示手段に表示させる第１の表示制御手段と、
前記付加情報と、当該付加情報が付加された画像を特定する画像特定情報とを前記第２の表示装置に送信する付加情報送信手段とを備え、
前記第２の表示装置は、
自装置の前記表示手段に表示されている画像に対して付加情報を付加する操作が自装置の前記操作手段によって受け付けられると、表示されている前記画像に当該付加情報を重ねて当該表示手段に表示させる第２の表示制御手段と、
前記第１の表示装置の前記付加情報送信手段から送信されてきた前記付加情報と前記画像特定情報とを対応付けて記憶する対応記憶手段とを備える
ことを特徴とする表示システム。
【請求項２】
前記第１の表示装置は、
自装置の前記表示手段に表示されている画像の変更を指示する操作が自装置の前記操作手段によって受け付けられると、当該操作の内容を表す操作情報を前記第２の表示装置に送信する操作情報送信手段を備え、
前記第２の表示装置は、
前記第１の表示装置の前記操作情報送信手段から送信されてきた前記操作情報、又は、自装置の前記表示手段に表示されている画像の変更を指示する操作として自装置の前記操作手段により受け付けられた操作の内容を表す操作情報に基づいて、自装置及び前記第１の表示装置にて表示する画像を決定する画像決定手段と、
前記画像決定手段によって前記第１の表示装置にて表示するよう決定された画像を特定する画像特定情報と、前記対応記憶手段により当該画像特定情報に対応付けられて記憶されている前記付加情報とを、当該第１の表示装置宛に送信する画像特定情報送信手段とを備え、
前記第１の表示装置の前記第１の表示制御手段は、前記第２の表示装置の前記画像特定情報送信手段から送信されてきた前記画像特定情報と前記付加情報とを取得し、取得した当該付加情報と当該画像特定情報によって特定される画像とを、自装置の前記表示手段に表示させ、
前記第２の表示装置の前記第２の表示制御手段は、前記画像決定手段によって自装置にて表示するよう決定された画像と、前記対応記憶手段により当該画像を特定する画像特定情報に対応付けられて記憶されている付加情報とを、自装置の前記表示手段に表示させる
ことを特徴とする請求項１記載の表示システム。
【請求項３】
前記第２の表示装置の前記対応記憶手段は、前記第１の表示装置の前記付加情報送信手段から送信されてきた付加情報又は自装置の前記表示手段に表示されている画像に対して付加された付加情報と、当該付加情報が付加された画像を表示している前記表示装置毎に予め決められた表示形態を表す表示形態情報とを対応付けて記憶し、
前記第２の表示装置の前記画像特定情報送信手段は、前記画像特定情報及び前記付加情報に加えて、前記対応記憶手段により当該付加情報に対応付けられて記憶されている表示形態情報を、当該第１の表示装置宛に送信し、
前記第１の表示装置の前記第１の表示制御手段は、前記第２の表示装置の前記画像特定情報送信手段から送信されてきた前記表示形態情報を取得し、取得した当該付加情報を当該表示形態情報が表す表示形態で自装置の前記表示手段に表示させ、
前記第２の表示装置の前記第２の表示制御手段は、前記画像決定手段によって自装置にて表示するよう決定された画像を特定する画像特定情報に対応付けられて記憶されている付加情報を、当該付加情報に対応付けられて前記対応記憶手段により記憶されている表示形態情報が表す表示形態で、自装置の前記表示手段に表示させる
ことを特徴とする請求項２記載の表示システム。
【請求項４】
前記第２の表示装置の前記対応記憶手段は、前記第１の表示装置の前記付加情報送信手段から送信されてきた付加情報又は自装置の前記表示手段に表示されている画像に対して付加された付加情報と、当該付加情報が付加された画像を表示している前記表示装置を識別する装置識別情報とを対応付けて記憶し、
前記第２の表示装置の前記画像特定情報送信手段は、前記画像特定情報と、前記対応記憶手段により当該画像特定情報に対応付けられて記憶されている前記付加情報のうち、当該画像特定情報の送信先である第１の表示装置を識別する装置識別情報に対応付けられた付加情報とを、当該第１の表示装置宛に送信し、
前記第２の表示装置の前記第２の表示制御手段は、前記画像決定手段によって自装置にて表示するよう決定された画像を特定する画像特定情報に対応付けられて記憶されている付加情報のうち、自装置を識別する装置識別情報に対応付けられた付加情報を、自装置の前記表示手段に表示させる
ことを特徴とする請求項２記載の表示システム。
【請求項５】
前記第２の表示装置の前記対応記憶手段は、不揮発性の記憶手段であり、
前記第１の表示装置は、前記第２の表示装置の前記画像特定情報送信手段から送信されてきた付加情報を記憶する揮発性の付加情報記憶手段を備え、
前記第１の表示装置の前記第１の表示制御手段は、前記付加情報記憶手段に記憶されている付加情報を取得し、取得した当該付加情報を自装置の前記表示手段に表示させる
ことを特徴とする請求項２乃至４のいずれか１項に記載の表示システム。
【請求項６】
前記第１の表示装置及び前記第２の表示装置は、ＵＳＢ（Universal Serial Bus）規格に従って情報を送受信する
ことを特徴とする請求項１乃至５のいずれか１項に記載の表示システム。
【発明の詳細な説明】
【技術分野】
【０００１】
本発明は、画像に付加された付加情報を管理する技術に関する。
【背景技術】
【０００２】
表示装置に表示された画像に対し、アンダーラインや各種のコメント或いは電子付箋などの付加情報を付加する技術が知られている。特許文献１には、タブレット装置の操作に従い、ディスプレイに表示された画像に対して、移動、コピー、貼り付けなどの編集を行う技術が開示されている。
【特許文献１】特開平０６−１３１３４６号公報
【発明の開示】
【発明が解決しようとする課題】
【０００３】
ところで、複数の表示装置を連携させて、マルチディスプレイとして使用することがある。この場合、各々の表示装置に表示された個々の画像に対して付加された付加情報が、仮にその付加情報の付加された画像を表示している表示装置のみに記憶されるとすると、次のような不都合が生じる。例えば、ある表示装置にて表示されていた画像を他の表示装置に移動して表示させるような場合、その画像に対して付加されていたはずの付加情報を、その移動先の表示装置で閲覧することができない。また、同一の画像に対して異なる表示装置にて付加情報が付加された場合であっても、その同一の画像に対して付加された付加情報を互いに対応付けて管理することもできない。
本発明は、このような背景に鑑みてなされたものであり、複数の表示装置にて表示された画像に対してそれぞれ付加された付加情報をまとめて管理することを目的とする。
【課題を解決するための手段】
【０００４】
本発明は、１又は複数の第１の表示装置と、第２の表示装置とを備え、前記第１の表示装置及び前記第２の表示装置は、操作者の操作を受け付ける操作手段と、画像を表示する表示手段とを備え、前記第１の表示装置は、自装置の前記表示手段に表示されている画像に対して付加情報を付加する操作が自装置の前記操作手段によって受け付けられると、表示されている前記画像に当該付加情報を重ねて当該表示手段に表示させる第１の表示制御手段と、前記付加情報と、当該付加情報が付加された画像を特定する画像特定情報とを前記第２の表示装置に送信する付加情報送信手段とを備え、前記第２の表示装置は、自装置の前記表示手段に表示されている画像に対して付加情報を付加する操作が自装置の前記操作手段によって受け付けられると、表示されている前記画像に当該付加情報を重ねて当該表示手段に表示させる第２の表示制御手段と、前記第１の表示装置の前記付加情報送信手段から送信されてきた前記付加情報と前記画像特定情報とを対応付けて記憶する対応記憶手段とを備えることを特徴とする表示システムを提供する。これにより、複数の表示装置にて表示された画像に対してそれぞれ付加された付加情報をまとめて管理することができる。
【０００５】
本発明の好ましい態様において、前記第１の表示装置は、自装置の前記表示手段に表示されている画像の変更を指示する操作が自装置の前記操作手段によって受け付けられると、当該操作の内容を表す操作情報を前記第２の表示装置に送信する操作情報送信手段を備え、前記第２の表示装置は、前記第１の表示装置の前記操作情報送信手段から送信されてきた前記操作情報、又は、自装置の前記表示手段に表示されている画像の変更を指示する操作として自装置の前記操作手段により受け付けられた操作の内容を表す操作情報に基づいて、自装置及び前記第１の表示装置にて表示する画像を決定する画像決定手段と、前記画像決定手段によって前記第１の表示装置にて表示するよう決定された画像を特定する画像特定情報と、前記対応記憶手段により当該画像特定情報に対応付けられて記憶されている前記付加情報とを、当該第１の表示装置宛に送信する画像特定情報送信手段とを備え、前記第１の表示装置の前記第１の表示制御手段は、前記第２の表示装置の前記画像特定情報送信手段から送信されてきた前記画像特定情報と前記付加情報とを取得し、取得した当該付加情報と当該画像特定情報によって特定される画像とを、自装置の前記表示手段に表示させ、前記第２の表示装置の前記第２の表示制御手段は、前記画像決定手段によって自装置にて表示するよう決定された画像と、前記対応記憶手段により当該画像を特定する画像特定情報に対応付けられて記憶されている付加情報とを、自装置の前記表示手段に表示させてもよい。これにより、ある表示装置にて表示されていた画像を他の表示装置に移動して表示させるような場合に、その画像に対して付加された付加情報をその移動先となる他の表示装置で閲覧することができる。
【０００６】
本発明の好ましい態様において、前記第２の表示装置の前記対応記憶手段は、前記第１の表示装置の前記付加情報送信手段から送信されてきた付加情報又は自装置の前記表示手段に表示されている画像に対して付加された付加情報と、当該付加情報が付加された画像を表示している前記表示装置毎に予め決められた表示形態を表す表示形態情報とを対応付けて記憶し、前記第２の表示装置の前記画像特定情報送信手段は、前記画像特定情報及び前記付加情報に加えて、前記対応記憶手段により当該付加情報に対応付けられて記憶されている表示形態情報を、当該第１の表示装置宛に送信し、前記第１の表示装置の前記第１の表示制御手段は、前記第２の表示装置の前記画像特定情報送信手段から送信されてきた前記表示形態情報を取得し、取得した当該付加情報を当該表示形態情報が表す表示形態で自装置の前記表示手段に表示させ、前記第２の表示装置の前記第２の表示制御手段は、前記画像決定手段によって自装置にて表示するよう決定された画像を特定する画像特定情報に対応付けられて記憶されている付加情報を、当該付加情報に対応付けられて前記対応記憶手段により記憶されている表示形態情報が表す表示形態で、自装置の前記表示手段に表示させてもよい。これにより、各々の表示装置にて付加された付加情報をそれぞれ異なる表示形態で表示させることができる。
【０００７】
本発明の好ましい態様において、前記第２の表示装置の前記対応記憶手段は、前記第１の表示装置の前記付加情報送信手段から送信されてきた付加情報又は自装置の前記表示手段に表示されている画像に対して付加された付加情報と、当該付加情報が付加された画像を表示している前記表示装置を識別する装置識別情報とを対応付けて記憶し、前記第２の表示装置の前記画像特定情報送信手段は、前記画像特定情報と、前記対応記憶手段により当該画像特定情報に対応付けられて記憶されている前記付加情報のうち、当該画像特定情報の送信先である第１の表示装置を識別する装置識別情報に対応付けられた付加情報とを、当該第１の表示装置宛に送信し、前記第２の表示装置の前記第２の表示制御手段は、前記画像決定手段によって自装置にて表示するよう決定された画像を特定する画像特定情報に対応付けられて記憶されている付加情報のうち、自装置を識別する装置識別情報に対応付けられた付加情報を、自装置の前記表示手段に表示させてもよい。これにより、各々の表示装置にその表示装置にて付加された付加情報のみを表示させることができる。
【０００８】
本発明の好ましい態様において、前記第２の表示装置の前記対応記憶手段は、不揮発性の記憶手段であり、前記第１の表示装置は、前記第２の表示装置の前記画像特定情報送信手段から送信されてきた付加情報を記憶する揮発性の付加情報記憶手段を備え、前記第１の表示装置の前記第１の表示制御手段は、前記付加情報記憶手段に記憶されている付加情報を取得し、取得した当該付加情報を自装置の前記表示手段に表示させてもよい。これにより、各々の表示装置に電力が供給されなくなった場合に、第１の表示装置にて記憶されている付加情報のみを保存させることができる。
【０００９】
本発明の好ましい態様において、前記第１の表示装置及び前記第２の表示装置は、ＵＳＢ（Universal Serial Bus）規格に従って情報を送信してもよい。これにより、ＵＳＢのような使い勝手のよい通信規格を用いて、第１の表示装置と第２の表示装置との間の通信を行うことができる。
【発明を実施するための最良の形態】
【００１０】
［構成］
図１は、本実施形態に係る表示システム１の構成を示す図である。同図に示すように、この表示システム１は、中継装置１０と、第２の表示装置であるマスタ表示装置２０Ａと、第１の表示装置であるスレーブ表示装置２０Ｂ及び２０Ｃとを備えている。中継装置１０は、例えばＵＳＢハブ装置であり、ＵＳＢ規格に従い、マスタ表示装置２０Ａとスレーブ表示装置２０Ｂ又は２０Ｃとの間でやり取りされるデータの中継を行う。なお、以下の説明では、マスタ表示装置２０Ａ、スレーブ表示装置２０Ｂ、２０Ｃを区別する必要がない場合には、総称して「表示装置２０」という。また、これらの構成を区別する必要がある場合には、それぞれ「Ａ」、「Ｂ」、「Ｃ」という符号を付して説明する。
【００１１】
このマスタ表示装置２０Ａ、スレーブ表示装置２０Ｂ及び２０Ｃは、それぞれ共通の構成を備えている。
図２は、表示装置２０の構成を示すブロック図である。同図に示すように、表示装置２０は、ＣＰＵ（Central Processing Unit）２１と、ＲＯＭ（Read Only Memory）２２と、ＲＡＭ（Random Access Memory）２３と、記憶部２４と、電源２５と、電源制御部２６と、操作部２７と、入出力部２８と、ＶＲＡＭ（Video Random Access Memory）２９と、記憶性表示体３０と、表示制御部３１と、タッチパネル３２と、タッチパネル制御部３３と、ＵＳＢコントローラ３４と、ＵＳＢホストコネクタ３５と、ＵＳＢデバイスコネクタ３６とを備えている。
【００１２】
電源２５は、例えば充電可能な電池であり、表示装置２０の各部に電力を供給する。電源制御部２６は、電源２５のオンオフ制御や電力の残量監視などの電源管理を行う。ＣＰＵ２１は、ＲＯＭ２２又は記憶部２４に記憶されているプログラムに従って各種の処理を行う。ＲＯＭ２２は、ＣＰＵ２１によって用いられるプログラム等を記憶する不揮発性の記憶手段である。この不揮発性の記憶手段とは、電源２５による電力供給を受けずに情報を記憶した状態を維持することができる記憶手段のことである。ＲＡＭ２３は、ＣＰＵ２１のワークエリアとして使用される揮発性の記憶手段である。この揮発性の記憶手段とは、電源２５による電力供給を受けることにより情報を記憶した状態を維持する記憶手段のことである。記憶部２４は、例えばハードディスクやフラッシュメモリなどであり、ＣＰＵ２１によって用いられるプログラムや各種データなどを記憶する不揮発性の対応記憶手段である。
【００１３】
ＶＲＡＭ２９は、記憶性表示体３０に表示される１ページ分の画像を表すデータを記憶する揮発性の付加情報記憶手段である。記憶性表示体３０は、コレステリック液晶や電気泳動などの複数の表示素子を備えており、供給されるデータに応じてこれらの表示素子が駆動されることで、そのデータに応じた画像を表示する表示手段である。この記憶性表示体３０においては、表示素子が駆動されて画像を表示するまでの駆動期間においては電力が必要であるが、その駆動期間が経過して画像が表示された後は、電力が供給されなくてもその画像を表示し続けることができる。表示制御部３１は、ＶＲＡＭ２９に記憶されているデータに基づいて記憶性表示体３０の表示素子を駆動し、そのデータに応じた画像を表示させる表示制御手段である。
【００１４】
操作部２７は、操作ボタンなどを備えており、操作者による操作を受け付ける操作手段である。入出力部２８は、操作部２７の操作状態を監視しており、操作部２７が操作されるとその操作の内容を表す操作情報をＣＰＵ２１に供給する。タッチパネル３２は、記憶性表示体３０の表面に重ねて設けられる透明なパネルであり、操作者による接触を所定の微小領域毎に感知して接触信号を出力する。つまり、タッチパネル３２は、操作部２７と同様に、操作者による操作を受け付ける操作手段である。タッチパネル制御部３３は、タッチパネル３２から出力された接触信号に基づいて、タッチパネル３２において接触された位置を検出し、検出した位置を表す位置情報をＣＰＵ２１に供給する。
【００１５】
ＵＳＢコントローラ３４は、ＣＰＵ２１の制御の下、ＵＳＢ規格に従って情報の送受信を行う。ＵＳＢホストコネクタ３５、ＵＳＢデバイスコネクタ３６は、いずれも中継装置１０に接続される接続口である。ＵＳＢコントローラ３４は、ＵＳＢホストコネクタ３５が中継装置１０に接続された場合にはＵＳＢホストとして動作し、ＵＳＢデバイスコネクタ３６が中継装置１０に接続された場合にはＵＳＢデバイスとして動作する。この構成では、マスタ表示装置２０ＡのＵＳＢホストコネクタ３５Ａと中継装置１０とがＵＳＢケーブルを介して接続されており、また、スレーブ表示装置２０Ｂ、２０ＣのＵＳＢデバイスコネクタ３６Ｂ、３６Ｃと中継装置１０とがそれぞれＵＳＢケーブルを介して接続されている。
【００１６】
ここで、各表示装置２０の記憶部２４に記憶されているデータの内容について詳細に説明する。各表示装置２０の記憶部２４にはそれぞれ、ページ毎に区分された画像を表す画像データと、その表示装置２０に割り当てられた装置ＩＤとが記憶されている。まず、画像データには、その画像データが表す画像のページ数が含まれている。画像データに含まれるページ数は、その画像データによって表示される画像を特定する画像特定情報として利用される。また、装置ＩＤは、各々の表示装置２０を識別する識別情報として利用される。この構成では、マスタ表示装置２０Ａの記憶部２４Ａには、マスタ表示装置２０Ａに割り当てられた装置ＩＤ「０１」が記憶されており、同様に、スレーブ表示装置２０Ｂの記憶部２４Ｂには装置ＩＤ「０２」が記憶されており、スレーブ表示装置２０Ｃの記憶部２４Ｃには装置ＩＤ「０３」が記憶されているものとする。
【００１７】
［動作］
次に、表示システム１の動作について説明する。ここでは、まず各表示装置２０に画像を表示させる表示処理について説明してから、表示装置２０にて表示されている画像に対して付加情報を付加する情報付加処理について説明する。
【００１８】
（表示処理）
図３は、表示処理を示すシーケンス図である。表示装置２０に画像を表示させたい場合、操作者は、いずれかの表示装置２０の操作部２７を用いて、閲覧したい画像の表示を指示する操作を行う。ここでは、操作者がスレーブ表示装置２０Ｂの操作部２７Ｂを用いて、「１００ページ」の画像の表示を指示する操作を行った場合を想定する。スレーブ表示装置２０Ｂの操作部２７Ｂが「１００ページ」の画像の表示を指示する操作を受け付けると（ステップＳＡ１０）、入出力部２８Ｂは、その操作の内容を表す操作情報をＣＰＵ２１Ｂに供給する。操作情報が供給されると、ＣＰＵ２１Ｂは、その操作情報をＵＳＢコントローラ３４Ｂによってマスタ表示装置２０Ａに送信する（ステップＳＡ２０）。スレーブ表示装置２０Ｂから送信された操作情報は、中継装置１０を介してマスタ表示装置２０Ａへと送信される。
【００１９】
操作情報が送信されてくると、マスタ表示装置２０ＡのＣＰＵ２１Ａは、ＵＳＢコントローラ３４Ａによってこの操作情報を受信する（ステップＳＡ３０）。続いて、ＣＰＵ２１Ａは、受信した操作情報に基づいて、各表示装置２０が表示する画像を決定する（ステップＳＡ４０）。この例では、スレーブ表示装置２０Ｂから「１００ページ」の表示を指示する操作を表す操作情報が送信されてくるため、まずＣＰＵ２１Ａは、スレーブ表示装置２０Ｂが表示する画像を「１００ページ」の画像に決定する。続いて、ＣＰＵ２１Ａは、自装置が表示する画像をその１ページ前の「９９ページ」の画像に決定し、スレーブ表示装置２０Ｃが表示する画像をその１ページ後の「１０１ページ」の画像に決定する。続いて、ＣＰＵ２１Ａは、決定した画像に基づいて、各表示装置２０に割り当てられた「装置ＩＤ」と、その表示装置２０が表示する画像のページを表す「ページ数」とを対応付けた表示テーブルを作成し、作成した表示テーブルをＲＡＭ２３Ａに記憶させる（ステップＳＡ５０）。
【００２０】
図４は、このときに作成される表示テーブルＴ１を示す図である。同図に示すように、この表示テーブルＴ１では、マスタ表示装置２０Ａの装置ＩＤ「０１」と、マスタ表示装置２０Ａが表示する画像のページ数である「９９ページ」とが対応付けられ、同様に、スレーブ表示装置２０Ｂの装置ＩＤ「０２」と、スレーブ表示装置２０Ｂが表示する画像のページ数である「１００ページ」とが対応付けられ、スレーブ表示装置２０Ｃの装置ＩＤ「０３」と、スレーブ表示装置２０Ｃが表示する画像のページ数である「１０１ページ」とが対応付けられている。なお、各表示装置２０の装置ＩＤは、予めマスタ表示装置２０Ａの記憶部２４Ａに記憶されていてもよいし、マスタ表示装置２０Ａがスレーブ表示装置２０Ｂ、２０Ｃに対して装置ＩＤを要求することにより取得されてもよい。
【００２１】
続いて、ＣＰＵ２１Ａは、ＲＡＭ２３Ａに記憶されている表示テーブルＴ１を参照して、自装置が表示する画像の画像データを記憶部２４Ａから読み出し、ＶＲＡＭ２９Ａに記憶させる。この例では、図４に示した表示テーブルＴ１において、マスタ表示装置２０Ａの装置ＩＤ「０１」に対応付けられたページ数「９９ページ」の画像を表す画像データが記憶部２４Ａから読み出され、ＶＲＡＭ２９Ａに記憶される。続いて、マスタ表示装置２０Ａの表示制御部３１Ａは、ＶＲＡＭ２９Ａに記憶された画像データに応じた画像を記憶性表示体３０Ａに表示させる（ステップＳＡ６０）。これにより、マスタ表示装置２０Ａの記憶性表示体３０Ａには、「９９ページ」の画像が表示される。
【００２２】
続いて、ＣＰＵ２１Ａは、ＲＡＭ２３Ａに記憶されている表示テーブルＴ１を参照して、スレーブ表示装置２０Ｂ、２０Ｃに対して画像の表示を指示する表示指示を作成し、作成した表示指示をＵＳＢコントローラ３４Ａによって送信する（ステップＳＡ７０）。具体的に説明すると、まずＣＰＵ２１Ａは、図４に示した表示テーブルＴ１にて対応付けられた、スレーブ表示装置２０Ｂの装置ＩＤ「０２」とページ数「１００ページ」とを含む表示指示と、スレーブ表示装置２０Ｃの装置ＩＤ「０３」とページ数「１０１ページ」とを含む表示指示とを作成する。続いて、ＣＰＵ２１Ａは、作成したそれらの表示指示をＵＳＢコントローラ３４Ａによって送信する。このようにして、マスタ表示装置２０Ａから送信された表示指示は、中継装置１０を介してスレーブ表示装置２０Ｂ、２０Ｃへと送信される。
【００２３】
表示指示が送信されてくると、スレーブ表示装置２０ＢのＣＰＵ２１Ｂは、ＵＳＢコントローラ３４Ｂによって、その表示指示のうち記憶部２４Ｂに記憶されている装置ＩＤを含む表示指示を選択し、受信する（ステップＳＡ８０）。上述したように、スレーブ表示装置２０Ｂの記憶部２４Ｂには装置ＩＤ「０２」が記憶されているため、ここでは、装置ＩＤ「０２」とページ数「１００ページ」を含む表示指示が受信される。続いて、ＣＰＵ２１Ｂは、受信した表示指示によって指示された「１００ページ」の画像の画像データを記憶部２４Ｂから読み出し、ＶＲＡＭ２９Ｂに記憶させる。続いて、スレーブ表示装置２０Ｂの表示制御部３１Ｂは、ＶＲＡＭ２９Ｂに記憶された画像データに応じた画像を記憶性表示体３０Ｂに表示させる（ステップＳＡ９０）。これにより、スレーブ表示装置２０Ｂの記憶性表示体３０Ｂには、「１００ページ」の画像が表示される。
【００２４】
同様に、表示指示が送信されてくると、スレーブ表示装置２０ＣのＣＰＵ２１Ｃは、ＵＳＢコントローラ３４Ｃによって、その表示指示のうち記憶部２４Ｃに記憶されている装置ＩＤを含む表示指示を選択し、受信する（ステップＳＡ１００）。上述したように、スレーブ表示装置２０Ｃの記憶部２４Ｃには装置ＩＤ「０３」が記憶されているため、ここでは、装置ＩＤ「０３」とページ数「１０１ページ」とを含む表示指示が受信される。続いて、ＣＰＵ２１Ｃは、受信した表示指示によって指示された「１０１ページ」の画像の画像データを記憶部２４Ｃから読み出し、ＶＲＡＭ２９Ｃに記憶させる。続いて、スレーブ表示装置２０Ｃの表示制御部３１Ｃは、ＶＲＡＭ２９Ｃに記憶された画像データに応じた画像を記憶性表示体３０Ｃに表示させる（ステップＳＡ１１０）。これにより、スレーブ表示装置２０Ｃの記憶性表示体３０Ｃには、「１０１ページ」の画像が表示される。
【００２５】
図５は、このときに各表示装置２０にて表示される画像を示す図である。同図に示すように、スレーブ表示装置２０Ｂの記憶性表示体３０Ｂには、操作者の操作によって表示が指示された「１００ページ」の画像が表示される。そして、マスタ表示装置２０Ａの記憶性表示体３０Ａには、スレーブ表示装置２０Ｂにて表示されている画像の１ページ前の「９９ページ」の画像が表示される。また、スレーブ表示装置２０Ｃの記憶性表示体３０Ｃには、スレーブ表示装置２０Ｂにて表示されている画像の１ページ後の「１０１ページ」の画像が表示される。これにより、操作者は、自分が閲覧したい「１００ページ」の画像とともに、その前後のページの画像をも合わせて見ることができる。
【００２６】
（情報付加処理）
次に、表示装置２０にて表示されている画像に対して付加情報を付加する情報付加処理について説明する。
図６は、情報付加処理を示すシーケンス図である。表示装置２０にて表示されている画像にアンダーラインや手書き文字などの付加情報を付加したい場合、操作者は、その表示装置２０のタッチパネル３２上をスタイラスペンなどでなぞって付加情報を書き込む。ここでは、操作者が、マスタ表示装置２０Ａのタッチパネル３２Ａ上をなぞって付加情報ｐを書き込み、続いて、スレーブ表示装置２０Ｂのタッチパネル３２Ｂ上をなぞって付加情報ｑを書き込み、さらに、スレーブ表示装置２０Ｃのタッチパネル３２Ｃ上をなぞって付加情報ｒを書き込んだ場合を想定する。
【００２７】
マスタ表示装置２０Ａのタッチパネル３２Ａが付加情報ｐの書き込み操作を受け付けると（ステップＳＢ１０）、タッチパネル制御部３３Ａは、その操作によってタッチパネル３２Ａが接触された位置を表す位置情報をＣＰＵ２１Ａに供給する。ＣＰＵ２１Ａは、供給された位置情報に基づいて付加情報ｐを作成し、ＶＲＡＭ２９Ａに記憶させる。続いて、マスタ表示装置２０Ａの表示制御部３１Ａは、記憶性表示体３０Ａに表示されている画像に重ねて、ＶＲＡＭ２９Ａに記憶された付加情報ｐを記憶性表示体３０Ａに表示させる（ステップＳＢ２０）。つまり、表示制御部３１Ａは、自装置の記憶性表示体３０Ａに表示されている画像に対して付加情報を付加する操作が自装置のタッチパネル３２Ａによって受け付けられると、自装置にて表示されている画像にその付加情報を重ねて記憶性表示体３０Ａに表示させる。これにより、マスタ表示装置２０Ａの記憶性表示体３０Ａには、図５に示した「９９ページ」の画像の上に、操作者によってタッチパネル３２Ａに書き込まれた付加情報ｐが表示される。
【００２８】
また、スレーブ表示装置２０Ｂのタッチパネル３２Ｂが付加情報ｑを書き込む操作を受け付けると（ステップＳＢ３０）、タッチパネル制御部３３Ｂは、その操作によってタッチパネル３２Ｂが接触された位置を表す位置情報をＣＰＵ２１Ｂに供給する。ＣＰＵ２１Ｂは、供給された位置情報に基づいて付加情報ｑを作成し、ＶＲＡＭ２９Ｂに記憶させる。続いて、スレーブ表示装置２０Ｂの表示制御部３１Ｂは、記憶性表示体３０Ｂに表示されている画像に重ねて、ＶＲＡＭ２９Ｂに記憶された付加情報ｑを記憶性表示体３０Ｂに表示させる（ステップＳＢ４０）。これにより、スレーブ表示装置２０Ｂの記憶性表示体３０Ｂには、図５に示した「１００ページ」の画像の上に、操作者によってタッチパネル３２Ｂに書き込まれた付加情報ｑが表示される。
【００２９】
同様に、スレーブ表示装置２０Ｃのタッチパネル３２Ｃが付加情報ｒを書き込む操作を受け付けると（ステップＳＢ５０）、タッチパネル制御部３３Ｃは、その操作によってタッチパネル３２Ｃが接触された位置を表す位置情報をＣＰＵ２１Ｃに供給する。ＣＰＵ２１Ｃは、供給された位置情報に基づいて付加情報ｒを作成し、ＶＲＡＭ２９Ｃに記憶させる。続いて、スレーブ表示装置２０Ｃの表示制御部３１Ｃは、記憶性表示体３０Ｃに表示されている画像に重ねて、ＶＲＡＭ２９Ｃに記憶された付加情報ｒを記憶性表示体３０Ｃに表示させる（ステップＳＢ６０）。これにより、スレーブ表示装置２０Ｃの記憶性表示体３０Ｃには、図５に示した「１０１ページ」の画像の上に、操作者によってタッチパネル３２Ｃに書き込まれた付加情報ｒが表示される。つまり、スレーブ表示装置２０Ｂ、２０Ｃの表示制御部３１は、自装置の記憶性表示体３０に表示されている画像に対して付加情報を付加する操作が自装置のタッチパネル３２によって受け付けられると、自装置にて表示されている画像にその付加情報を重ねて自装置の記憶性表示体３０に表示させる。
【００３０】
続いて、スレーブ表示装置２０ＢのＣＰＵ２１Ｂは、作成した付加情報ｑと、付加情報ｑが付加された画像のページ数である「１００ページ」とを、ＵＳＢコントローラ３４Ｂによってマスタ表示装置２０Ａに送信する（ステップＳＢ７０）。同様に、スレーブ表示装置２０ＣのＣＰＵ２１Ｃは、作成した付加情報ｒと、付加情報ｒが付加された画像のページ数である「１０１ページ」とを、ＵＳＢコントローラ３４Ｃによってマスタ表示装置２０Ａに送信する（ステップＳＢ８０）。つまり、スレーブ表示装置２０Ｂ、２０Ｃの各ＣＰＵ２１は、自装置にて付加された付加情報と、その付加情報が付加された画像を特定する画像特定情報とをマスタ表示装置２０Ａに送信する付加情報送信手段として機能する。このようにして、スレーブ表示装置２０Ｂ、２０Ｃから送信された付加情報とページ数とは、中継装置１０を介してマスタ表示装置２０Ａへと送信される。
【００３１】
付加情報とページ数とが送信されてくると、マスタ表示装置２０ＡのＣＰＵ２１Ａは、ＵＳＢコントローラ３４Ａによってこれらの情報を受信する（ステップＳＢ９０）。続いて、ＣＰＵ２１Ａは、受信した付加情報ｑ、ｒと、上述にて入出力部２８Ａから供給された付加情報ｐとを、その付加情報が付加された画像の画像データと対応付けて記憶部２４Ａに記憶させる（ステップＳＢ１００）。
【００３２】
図７は、付加情報ｐ〜ｒの記憶処理を具体的に説明する図である。図中の記憶領域ＤＡは、マスタ表示装置２０Ａの記憶部２４Ａの記憶領域を表しており、記憶領域ＤＢは、スレーブ表示装置２０Ｂの記憶部２４Ｂの記憶領域を表しており、記憶領域ＤＣは、スレーブ表示装置２０Ｃの記憶部２４Ｃの記憶領域を表している。まず、ＣＰＵ２１Ａは、自装置にて付加された付加情報ｐを、その付加情報ｐが付加された「９９ページ」の画像の画像データと対応付けて記憶部２４Ａに記憶させる。上述したように、画像データには、画像特定情報として利用されるページ数が含まれている。つまり、記憶部２４Ａは、自装置の記憶性表示体３０Ａに表示されている画像に対して付加された付加情報と、その付加情報が付加された画像を特定する画像特定情報とを対応付けて記憶することになる。続いて、ＣＰＵ２１Ａは、スレーブ表示装置２０Ｂから送信されてきた付加情報ｑを、その付加情報ｑとともに送信されてきたページ数「１００ページ」を含む画像データと対応付けて記憶部２４Ａに記憶させる。同様に、ＣＰＵ２１Ａは、スレーブ表示装置２０Ｃから送信されてきた付加情報ｒを、その付加情報ｒとともに送信されてきたページ数「１０１ページ」を含む画像データと対応付けて記憶部２４Ａに記憶させる。つまり、記憶部２４Ａは、スレーブ表示装置２０Ｂ、２０Ｃから送信されてきた付加情報と画像特定情報とを対応付けて記憶することになる。
【００３３】
これにより、マスタ表示装置２０Ａの記憶部２４Ａには、「９９ページ」の画像を表す画像データとマスタ表示装置２０Ａにて付加された付加情報ｐとが対応付けられて記憶され、同様に、「１００ページ」の画像を表す画像データとスレーブ表示装置２０Ｂにて付加された付加情報ｑとが対応付けて記憶され、「１０１ページ」の画像を表す画像データとスレーブ表示装置２０Ｃにて付加された付加情報ｒとが対応付けられて記憶される。つまり、マスタ表示装置２０Ａの記憶部２４Ａには、各表示装置２０の記憶性表示体３０において表示される画像の画像データとともに、各々の表示装置２０にて付加された複数の付加情報がまとめて記憶される。このように、付加情報が不揮発性の記憶手段である記憶部２４Ａに記憶されることにより、仮にマスタ表示装置２０Ａの電源がオフになった場合にも、付加情報は記憶されたまま保持される。一方、スレーブ表示装置２０Ｂ、２０Ｃにおいては、付加情報が記憶部２４に記憶されておらず、揮発性の記憶手段であるＶＲＡＭ２９のみに記憶されているため、スレーブ表示装置２０Ｂ、２０Ｃの電源がオフになった場合には、スレーブ表示装置２０Ｂ、２０Ｃにて記憶されていた付加情報は消去される。
【００３４】
ここで、操作者がスレーブ表示装置２０Ｂの操作部２７Ｂを用いて、ページ送りを指示する操作を行った場合を想定する。
図８は、このときに行われるページ送り処理を示すシーケンス図である。スレーブ表示装置２０Ｂの操作部２７Ｂがページ送りを指示する操作を受け付けると（ステップＳＣ１０）、入出力部２８Ｂは、その操作の内容を表す操作情報をＣＰＵ２１Ｂに供給する。操作情報が供給されると、ＣＰＵ２１Ｂは、その操作情報をＵＳＢコントローラ３４Ｂによってマスタ表示装置２０Ａに送信する（ステップＳＣ２０）。つまり、スレーブ表示装置２０ＢのＣＰＵ２１ＢとＵＳＢコントローラ３４Ｂとは協働して、自装置の記憶性表示体３０に表示されている画像の変更を指示する操作が自装置の操作部２７によって受け付けられると、その操作の内容を表す操作情報をマスタ表示装置２０Ａに送信する操作情報送信手段として機能する。スレーブ表示装置２０Ｂから送信された操作情報は、中継装置１０を介してマスタ表示装置２０Ａへと送信される。
【００３５】
操作情報が送信されてくると、マスタ表示装置２０ＡのＣＰＵ２１Ａは、ＵＳＢコントローラ３４Ａによってこの操作情報を受信する（ステップＳＣ３０）。続いて、ＣＰＵ２１Ａは、受信した操作情報に基づいて、各表示装置２０が表示する画像を決定する（ステップＳＣ４０）。つまり、マスタ表示装置２０ＡのＣＰＵ２１Ａは、スレーブ表示装置２０Ｂから送信されてきた操作情報に基づいて、自装置及びスレーブ表示装置２０Ｂ、２０Ｃにて表示する画像を決定する画像決定手段として機能する。この例では、スレーブ表示装置２０Ｂからページ送りを指示する操作を表す操作情報が送信されてくるため、各表示装置２０にて表示されている画像の次ページの画像をその表示装置２０が表示する画像として決定する。続いて、ＣＰＵ２１Ａは、決定した画像に基づいて、ＲＡＭ２３Ａに記憶されている表示テーブルＴ１を更新する（ステップＳＣ５０）。
【００３６】
図９は、更新後の表示テーブルである表示テーブルＴ２を示す図である。この更新では、図４に示した表示テーブルＴ１のページ数がその次のページ数に変更される。これにより、表示テーブルＴ２では、装置ＩＤ「０１」と、図４に示した表示テーブルＴ１において装置ＩＤ「０１」に対応付けられていた９９ページの次のページ数である「１００ページ」とが対応付けられ、同様に、装置ＩＤ「０２」と１００ページの次のページ数である「１０１ページ」とが対応付けられ、装置ＩＤ「０３」と１０１ページの次のページ数である「１０２ページ」とが対応付けられる。
【００３７】
続いて、ＣＰＵ２１Ａは、ＲＡＭ２３Ａに記憶されている表示テーブルＴ２において、自装置の装置ＩＤ「０１」に対応付けられたページ数「１００ページ」の画像を表す画像データを記憶部２４Ａから読み出し、ＶＲＡＭ２９Ａに記憶させる。ここで、「１００ページ」の画像を表す画像データには、図７に示すように付加情報ｑが対応付けられている。この場合、ＣＰＵ２１Ａは、「１００ページ」の画像を表す画像データとともに付加情報ｑを記憶部２４Ａから読み出し、ＶＲＡＭ２９Ａに記憶させる。続いて、マスタ表示装置２０Ａの表示制御部３１Ａは、ＶＲＡＭ２９Ａに記憶された画像データに応じた画像と付加情報ｑとを記憶性表示体３０Ａに表示させる（ステップＳＣ６０）。つまり、マスタ表示装置２０Ａの表示制御部３１Ａは、上述したステップＳＣ４０において自装置にて表示するよう決定された画像と、記憶部２４Ａによりその画像の画像データに対応付けられている付加情報とを、自装置の記憶性表示体３０Ａに表示させる。これにより、マスタ表示装置２０Ａの記憶性表示体３０Ａには、「１００ページ」の画像と付加情報ｑとが表示される。
【００３８】
続いて、ＣＰＵ２１Ａは、ＲＡＭ２３Ａに記憶されている表示テーブルＴ２を参照して、スレーブ表示装置２０Ｂ、２０Ｃに対し画像の表示を指示する表示指示を作成し、作成した表示指示をＵＳＢコントローラ３４Ａによって送信する（ステップＳＣ７０）。具体的に説明すると、まずＣＰＵ２１Ａは、図９に示した表示テーブルＴ２にて対応付けられた、スレーブ表示装置２０Ｂの装置ＩＤ「０２」とページ数「１０１ページ」とを含む表示指示と、スレーブ表示装置２０Ｃの装置ＩＤ「０３」とページ数「１０２ページ」とを含む表示指示とを作成する。ここで、「１０１ページ」の画像を表す画像データには、図７に示すように付加情報ｒが対応付けられている。この場合、ＣＰＵ２１Ａは、装置ＩＤ「０２」とページ数「１０１ページ」とを含む表示指示に、付加情報ｒを付加する。続いて、ＣＰＵ２１Ａは、作成した表示指示をＵＳＢコントローラ３４Ａによって送信する。つまり、マスタ表示装置２０ＡのＣＰＵ２１ＡとＵＳＢコントローラ３４Ａとは協働して、上述したステップＳＣ４０においてスレーブ表示装置２０Ｂ、２０Ｃにて表示するよう決定された画像を特定する画像特定情報と、記憶部２４Ａによりその画像特定情報に対応付けて記憶されている付加情報とを、スレーブ表示装置２０Ｂ宛に送信する画像特定情報送信手段として機能する。マスタ表示装置２０Ａから送信された表示指示は、中継装置１０を介してスレーブ表示装置２０Ｂ、２０Ｃへと送信される。
【００３９】
表示指示が送信されてくると、スレーブ表示装置２０ＢのＣＰＵ２１Ｂは、ＵＳＢコントローラ３４Ｂによって、その表示指示のうち記憶部２４Ｂに記憶されている装置ＩＤを含む表示指示を選択し、受信する（ステップＳＣ８０）。上述したように、スレーブ表示装置２０Ｂの記憶部２４Ｂには装置ＩＤ「０２」が記憶されているため、ここでは、装置ＩＤ「０２」とページ数「１０１ページ」を含む表示指示と、その表示指示に付加された付加情報ｒとが受信される。続いて、ＣＰＵ２１Ｂは、受信した表示指示によって指示された「１０１ページ」の画像の画像データを記憶部２４Ｂから読み出し、その画像データに付加された付加情報ｒとともにＶＲＡＭ２９Ｂに記憶させる。つまり、スレーブ表示装置２０ＢのＶＲＡＭ２９Ｂは、マスタ表示装置２０Ａから送信されてきた付加情報を記憶する。続いて、スレーブ表示装置２０Ｂの表示制御部３１Ｂは、ＶＲＡＭ２９Ｂに記憶された画像データに応じた画像と、付加情報ｒとを記憶性表示体３０Ｂに表示させる（ステップＳＣ９０）。つまり、スレーブ表示装置２０Ｂの表示制御部３１Ｂは、マスタ表示装置２０Ａから送信されてきた画像特定情報と付加情報とを取得し、取得した付加情報とその画像特定情報によって特定される画像とを、記憶性表示体３０Ｂに表示させる。これにより、スレーブ表示装置２０Ｂの記憶性表示体３０Ｂには、「１０１ページ」の画像と付加情報ｒとが表示される。
【００４０】
また、表示指示が送信されてくると、スレーブ表示装置２０ＣのＣＰＵ２１Ｃは、ＵＳＢコントローラ３４Ｃによって、その表示指示のうち記憶部２４Ｃに記憶されている装置ＩＤを含む表示指示を選択し、受信する（ステップＳＣ１００）。上述したように、スレーブ表示装置２０Ｃの記憶部２４Ｃには装置ＩＤ「０３」が記憶されているため、ここでは、装置ＩＤ「０３」とページ数「１０２ページ」を含む表示指示が受信される。続いて、ＣＰＵ２１Ｃは、受信した表示指示によって指示された「１０２ページ」の画像の画像データを記憶部２４Ｃから読み出し、ＶＲＡＭ２９Ｃに記憶させる。続いて、スレーブ表示装置２０Ｃの表示制御部３１Ｃは、ＶＲＡＭ２９Ｃに記憶された画像データに応じた画像を記憶性表示体３０Ｃに表示させる（ステップＳＣ１１０）。これにより、スレーブ表示装置２０Ｃの記憶性表示体３０Ｃには、「１０２ページ」の画像が表示される。
【００４１】
図１０は、このときに各表示装置２０にて表示される画像を示す図である。同図に示すように、マスタ表示装置２０Ａ、スレーブ表示装置２０Ｂ、２０Ｃの各記憶性表示体３０には、それぞれ図５に示した画像の次ページである「１００ページ」、「１０１ページ」、「１０２ページ」の画像が表示されている。加えて、マスタ表示装置２０Ａの記憶性表示体３０Ａには、スレーブ表示装置２０Ｂにて「１００ページ」の画像に対して付加された付加情報ｑが表示されており、スレーブ表示装置２０Ｂの記憶性表示体３０Ｂには、スレーブ表示装置２０Ｃにて「１０１ページ」の画像に対して付加された付加情報ｒが表示されている。
【００４２】
以上説明した実施形態によれば、複数の表示装置２０にて表示された画像に対してそれぞれ付加された付加情報をマスタ表示装置２０Ａにおいてまとめて管理することができる。これにより、ある表示装置２０にて表示されていた画像を他の表示装置２０に移動して表示させるようなときに、その画像に対して付加された付加情報を他の表示装置２０で閲覧することができる。また、同一の画像に対して異なる表示装置２０にて付加情報が付加された場合であっても、その同一の画像に対して付加された付加情報を互いに対応付けて管理することができる。加えて、付加情報がマスタ表示装置２０Ａにてまとめて管理されていることにより、付加情報が漏洩する危険性が少なくなり、情報セキュリティーが向上する。
【００４３】
［変形例］
以上が実施形態の説明であるが、この実施形態の内容は以下のように変形し得る。また、以下の変形例を適宜組み合わせてもよい。
（変形例１）
上述した実施形態では、各表示装置２０にて付加された付加情報が全て同様の表示形態で表示されていたが、付加情報が付加された表示装置２０毎に付加情報の表示形態を変えてもよい。この場合、マスタ表示装置２０ＡのＣＰＵ２１Ａは、スレーブ表示装置２０Ｂ、２０Ｃから送信されてきた付加情報、又は、自装置の記憶性表示体３０Ａに表示されている画像に対して付加された付加情報を、その付加情報が付加された画像を表示している表示装置２０毎に予め決められた表示形態を表す表示形態情報と対応付けて記憶部２４Ａに記憶させる。そして、ＣＰＵ２１Ａは、表示指示及び付加情報に加えて、記憶部２４Ａによりその付加情報に対応付けられて記憶されている表示形態情報を、スレーブ表示装置２０Ｂ又は２０Ｃ宛に送信する。
【００４４】
表示指示、付加情報及び表示形態情報が送信されてくると、スレーブ表示装置２０Ｂ又は２０ＣのＣＰＵ２１は、自装置のＵＳＢコントローラ３４によってこれらの情報を受信する。そして、スレーブ表示装置２０Ｂ又は２０Ｃの表示制御部３１は、自装置のＶＲＡＭ２９に記憶されている付加情報を、受信した表示形態情報が表す表示形態で自装置の記憶性表示体３０に表示させる。つまり、スレーブ表示装置２０Ｂ又は２０Ｃの表示制御部３１は、マスタ表示装置２０Ａから送信されてきた画像特定情報、付加情報及び表示形態情報を取得し、取得した付加情報をその表示形態情報が表す表示形態で自装置の記憶性表示体３０に表示させる。
【００４５】
また、マスタ表示装置２０Ａの表示制御部３１Ａは、ＶＲＡＭ２９Ａに記憶されている付加情報を、記憶部２４Ａによりその付加情報に対応付けられて記憶されている表示形態情報が表す表示形態で、自装置の記憶性表示体３０Ａに表示させる。つまり、マスタ表示装置２０Ａの表示制御部３１Ａは、上述したステップＳＣ４０において自装置にて表示するよう決定された画像を特定する画像特定情報に対応付けられて記憶されている付加情報を、記憶部２４Ａによりその付加情報に対応付けられて記憶されている表示形態情報が表す表示形態で、自装置の記憶性表示体３１Ａに表示させる。
【００４６】
付加情報の表示形態としては、例えば付加情報を表示するときの色やサイズなどが考えられる。付加情報が付加された表示装置２０毎に付加情報の色を変える場合には、上述した表示形態情報として、色を表す色情報が用いられる。また、付加情報が付加された表示装置２０毎に付加情報のサイズを変える場合には、上述した表示形態情報として、付加情報のサイズを表すサイズ情報が用いられる。これにより、例えば一人の操作者が一台の表示装置２０のみを使用する場合には、各操作者によって付加された付加情報が同一の表示形態で表示されるため、自分が付加した付加情報と他人が付加した付加情報とを容易に区別することができる。
【００４７】
（変形例２）
上述した実施形態では、各々の表示装置２０には他の表示装置２０にて付加された付加情報も表示されていたが、他の表示装置２０にて付加された付加情報は表示されず、自装置にて付加された付加情報のみが表示されてもよい。この場合、マスタ表示装置２０ＡのＣＰＵ２１Ａは、スレーブ表示装置２０Ｂ、２０Ｃから送信されてきた付加情報、又は、自装置の記憶性表示体３０Ａに表示されている画像に対して付加された付加情報を、その付加情報が付加された画像を表示している表示装置２０を識別する装置識別情報である装置ＩＤと対応付けて記憶部２４Ａに記憶させる。そして、ＣＰＵ２１Ａは、表示指示と、記憶部２４Ａによりその表示指示のページ数を含む画像データに対応付けられて記憶されている付加情報のうち、その表示指示の送信先であるスレーブ表示装置２０Ｂ又は２０Ｃの装置ＩＤに対応付けられた付加情報を、ＵＳＢコントローラ３４Ａによってスレーブ表示装置２０Ｂ又は２０Ｃ宛に送信する。この場合、スレーブ表示装置２０Ｂ又は２０Ｃの記憶性表示体３０には、自装置にて付加された付加情報は表示されるが、他の表示装置２０にて付加された付加情報は表示されない。
【００４８】
また、マスタ表示装置２０ＡのＣＰＵ２１Ａは、上述したステップＳＣ４０において自装置にて表示するよう決定された画像を特定するページ数を含む画像データに対応付けられて記憶されている付加情報のうち、自装置を識別する装置識別情報である装置ＩＤに対応付けられた付加情報をＶＲＡＭ２９Ａに記憶させる。そして、マスタ表示装置２０Ａの表示制御部３１Ａは、ＶＲＡＭ２９Ａに記憶されている付加情報を、自装置の記憶性表示体３０Ａに表示させる。つまり、マスタ表示装置２０Ａの表示制御部３１Ａは、自装置にて表示するよう決定された画像を特定する画像特定情報に対応付けられて記憶されている付加情報のうち、記憶部２４Ａにより自装置を識別する装置識別情報に対応付けられた付加情報を、自装置の記憶性表示体３０Ａに表示させる。これにより、例えば一人の操作者が一台の表示装置２０のみを使用する場合には、自分が使用する表示装置２０の記憶性表示体３０には、自分が付加した付加情報のみが表示される。したがって、例えば機密性の高い付加情報を付加する場合にも、自分の付加した付加情報を他人に見られる恐れがない。
【００４９】
また、各々の表示装置２０に、特定の表示装置２０にて付加された付加情報のみが表示されるようにしてもよい。この場合、マスタ表示装置２０ＡのＣＰＵ２１Ａは、上述した装置ＩＤに代えて、特定の表示装置２０を識別する装置ＩＤを付加情報に対応付けて記憶部２４Ａに記憶させればよい。
さらに、スレーブ表示装置２０Ｂ及び２０Ｃだけが、他の表示装置２０にて付加された付加情報は表示されず、自装置にて付加された付加情報のみが表示されてもよい。例えば、全ての付加情報を閲覧する権限を有する操作者がマスタ表示装置２０Ａを使用し、自分が付加した付加情報のみを閲覧する権限がある操作者がスレーブ表示装置２０Ｂ、２０Ｃを使用するようにすると、各々の操作者が自分に与えられた権限に応じた付加情報の閲覧を行うことができる。
【００５０】
（変形例３）
上述した実施形態では、付加情報とその付加情報が付加された画像のページ数とがスレーブ表示装置２０Ｂ、２０Ｃからマスタ表示装置２０Ａに送信されていたが、このページ数に代えて付加情報が付加された表示装置２０の装置ＩＤが送信されてもよい。例えば、スレーブ表示装置２０Ｂから付加情報ｑと装置ＩＤ「０２」が送信され、スレーブ表示装置２０Ｃから付加情報ｒと装置ＩＤ「０３」が送信された場合を想定する。この場合、マスタ表示装置２０ＡのＣＰＵ２１Ａは、付加情報ｑ及びｒの記憶処理を次の手順で行う。まず、ＣＰＵ２１Ａは、図４に示した表示テーブルＴ１において、スレーブ表示装置２０Ｂから送信されてきた装置ＩＤ「０２」に対応付けられたページ数「１００ページ」を特定し、その装置ＩＤとともに送信されてきた付加情報ｑを、特定したページ数「１００ページ」を含む画像データと対応付けて記憶部２４Ａに記憶させる。続いて、ＣＰＵ２１Ａは、図４に示した表示テーブルＴ１において、スレーブ表示装置２０Ｃから送信されてきた装置ＩＤ「０３」に対応付けられたページ数「１０１ページ」を特定し、その装置ＩＤとともに送信されてきた付加情報ｒを、特定したページ数「１０１ページ」を含む画像データと対応付けて記憶部２４Ａに記憶させる。これにより、仮にスレーブ表示装置２０Ｂ、２０Ｃが自装置にて表示している画像のページ数を把握していなくとも、スレーブ表示装置２０Ｂ、２０Ｃにて付加された付加情報を、その付加情報が付加された画像を特定する画像特定情報と対応付けて記憶させることができる。
【００５１】
（変形例４）
上述した実施形態では、操作者によって付加情報を書き込む操作が行われる度に、スレーブ表示装置２０Ｂ、２０Ｃによる付加情報の送信が行われていたが、スレーブ表示装置２０Ｂ、２０Ｃが一定期間付加情報を集め、集めた付加情報をまとめて送信してもよい。例えば、スレーブ表示装置２０Ｂ、２０Ｃの各ＣＰＵ２１は、自装置の操作部２７によってページ送りを指示する操作が受け付けられたときに、自装置にて付加された付加情報をマスタ表示装置２０Ａに送信してもよい。これにより、付加情報を逐次送信する場合に比べて付加情報の送信回数を減らすことができるため、スレーブ表示装置２０Ｂ、２０Ｃにて付加情報の送信に費やされる電力を少なくすることができる。
【００５２】
（変形例５）
上述した実施形態では、付加情報が画像データとともにＶＲＡＭ２９に記憶されていたが、これに限らない。例えば、画像データがビットマップデータであり、付加情報が電子付箋等のように予め記憶部２４などに記憶されているテキストデータである場合、ＣＰＵ２１は、画像データをＶＲＡＭ２９に記憶させるとともに、操作部２７の操作に従って付加情報を記憶部２４から読み出し、ＲＡＭ２３に記憶させてもよい。ただし、この場合、ＣＰＵ２１は、ＲＡＭ２３に記憶されている付加情報をビットマップ形式に変換してからＶＲＡＭ２９又は表示制御部３１に供給する必要がある。
【００５３】
（変形例６）
上述した実施形態では、操作者がスレーブ表示装置２０Ｂの操作部２７Ｂを用いてページ送りを指示する操作を行った場合を例に挙げて説明したが、これに限らない。例えば、操作者がマスタ表示装置２０Ａの操作部２７Ａを用いてページ送りを指示する操作を行ってもよい。この場合、マスタ表示装置２０ＡのＣＰＵ２１Ａは、上述したステップＳＣ３０の処理を行わず、自装置の操作部２７Ａが受け付けた自装置の記憶性表示体３０Ａに表示されている画像の変更を指示する操作の内容を表す操作情報に基づいて、自装置及びスレーブ表示装置２０Ｂ、２０Ｃにて表示する画像を決定する。
【００５４】
（変形例７）
上述した実施形態では、付加情報の表示のみが行われていたが、マスタ表示装置２０Ａにおいて付加情報の編集や削除が行われてもよい。付加情報の編集又は削除を行いたい場合、操作者は、マスタ表示装置２０Ａの操作部２７Ａを用いて付加情報の編集又は削除を指示する操作を行う。マスタ表示装置２０ＡのＣＰＵ２１Ａは、この指示に従って、付加情報の編集又は削除を行う。この場合、仮に操作者がスレーブ表示装置２０Ｂ又は２０Ｃの操作部２７を用いて付加情報の編集又は削除を指示する操作を行ったとしても、ＣＰＵ２１Ｂ又は２１Ｃは付加情報の編集又は削除を行わない。これにより、マスタ表示装置２０Ａにおいて、各表示装置２０にて付加された付加情報の編集や削除を行うことができる。
【００５５】
（変形例８）
上述した実施形態では、各々の表示装置２０はＵＳＢ規格に従って通信を行っていたがこれに限らない。要するに、マスタ表示装置２０Ａとスレーブ表示装置２０Ｂ又は２０Ｃとが通信を行うものであればよい。
また、上述した実施形態では、スレーブ表示装置は２台であったが、これに限らない。スレーブ表示装置は１台であってもよいし、３台以上であってもよい。
【００５６】
（変形例９）
上述した実施形態では、各々の表示装置２０の記憶部２４にそれぞれ共通の画像データが記憶されていたが、この画像データがマスタ表示装置２０Ａの記憶部２４Ａのみに記憶されていてもよい。この場合、マスタ表示装置２０ＡのＣＰＵ２１Ａは、スレーブ表示装置２０Ｂ、２０Ｃに対し表示指示を送信するとともに、そのスレーブ表示装置２０Ｂ、２０Ｃが表示する画像の画像データも送信する。上述したように、画像データにはその画像データによって表示される画像のページ数が含まれるから、ここでは画像データが画像特定情報として利用される。この構成によれば、各々の表示装置２０間において伝送されるデータの伝送量は増えることになるが、スレーブ表示装置２０Ｂ、２０Ｃの記憶部２４が画像データを記憶する必要がなくなる。
【００５７】
（変形例１０）
上述した実施形態において、表示装置２０の表示制御部３１、ＵＳＢコントローラ３４によって行われる処理は、ＣＰＵ２１がプログラムに従って実行してもよい。また、表示装置２０のＣＰＵ２１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００５８】
【図１】本実施形態に係る表示システムの構成を示す図である。
【図２】上記表示システムの表示装置の構成を示すブロック図である。
【図３】上記表示システムの表示処理を示すシーケンス図である。
【図４】上記表示システムのマスタ表示装置で作成される表示テーブルを示す図である。
【図５】各々の上記表示装置にて表示される画像を示す図である。
【図６】上記表示システムの情報付加処理を示すシーケンス図である。
【図７】上記マスタ表示装置による付加情報の記憶処理を説明する図である。
【図８】上記表示システムのページ送り処理を示すシーケンス図である。
【図９】更新後の上記表示テーブルを示す図である。
【図１０】各々の上記表示装置にて表示される画像を示す図である。
【符号の説明】
【００５９】
１…表示システム、１０…中継装置、２０Ａ…マスタ表示装置、２０Ｂ，２０Ｃ…スレーブ表示装置、２１…ＣＰＵ、２２…ＲＯＭ、２３…ＲＡＭ、２４…記憶部、２５…電源、２６…電源制御部、２７…操作部、２８…入出力部、２９…ＶＲＡＭ、３０…記憶性表示体、３１…表示制御部、３２…タッチパネル、３３…タッチパネル制御部、３４…ＵＳＢコントローラ、３５…ＵＳＢホストコネクタ、３６…ＵＳＢデバイスコネクタ。
【図１】
2009251287.tif 000003
【図２】
2009251287.tif 000004
【図３】
2009251287.tif 000005
【図４】
2009251287.tif 000006
【図５】
2009251287.tif 000007
【図６】
2009251287.tif 000008
【図７】
2009251287.tif 000009
【図８】
2009251287.tif 000010
【図９】
2009251287.tif 000011
【図１０】
2009251287.tif 000012